(57)【特許請求の範囲】
【請求項１】
第１領域を照らす第１照明機器と、
前記第１領域の一部若しくは全部と第２領域とを照らす第２照明機器と、
前記第２照明機器で消費される消費電力を計測する電力センサと、
前記第１照明機器と前記第２照明機器とで照らされる前記第１領域の照度を計測する照度計測手段と、
前記第１領域に居る人を感知する第１人感センサと、
前記第２領域に居る人を感知する第２人感センサと、
前記第１人感センサが前記第１領域で人を感知し、かつ前記第２人感センサが前記第２領域で人を感知しない場合に、前記照度計測手段が計測した前記第１領域の照度が所定の照度より高い間、前記第２照明機器の光度を低下させる照明制御手段と、を備え、
前記照度計測手段は、前記第１領域のそれぞれ異なる位置の照度を計測する複数の照度センサで構成され、
前記照明制御手段は、
前記第２照明機器の光度の変化により生じる、前記複数の照度センサがそれぞれ計測する照度の変化に基づいて、前記複数の照度センサを代表する代表照度センサを、前記複数の照度センサから選択し、
前記第１人感センサが前記第１領域で人を感知し、かつ前記第２人感センサが前記第２領域で人を感知しない場合に、前記代表照度センサが計測した照度が所定の照度より高い間、前記第２照明機器の光度を低下させる、
ことを特徴とする制御システム。
【請求項２】
第１領域を照らす第１照明機器と前記第１領域の一部若しくは全部と第２領域とを照らす第２照明機器との双方で照らされる前記第１領域の照度を計測する照度計測手段と、
前記第１領域に居る人を感知する第１人感センサが人を感知し、かつ前記第２領域に居る人を感知する第２人感センサが人を感知しない場合に、前記照度計測手段が計測した前記第１領域の照度が所定の照度より高い間、前記第２照明機器の光度を低下させる照明制御手段と、を備え、
前記照度計測手段は、前記第１領域のそれぞれ異なる位置の照度を計測する複数の照度センサで構成され、
前記照明制御手段は、
前記第２照明機器の光度の変化により生じる、前記複数の照度センサがそれぞれ計測する照度の変化に基づいて、前記複数の照度センサを代表する代表照度センサを、前記複数の照度センサから選択し、
前記第１人感センサが人を感知し、かつ前記第２人感センサが人を感知しない場合に、前記代表照度センサが計測した照度が所定の照度より高い間、前記第２照明機器の光度を低下させる、
ことを特徴とする制御システム。
【請求項３】
前記照明制御手段は、前記第２照明機器の光度を低下させる前に前記第２照明機器で消費される消費電力を計測する電力センサで計測された消費電力と、前記第２照明機器の光度を低下させた後に前記電力センサで計測された消費電力と、の差異よりも少ない値に限り、前記第１照明機器の消費電力を増加させて、前記第１照明機器の光度を補正する、
ことを特徴とする請求項１又は２に記載の制御システム。
【請求項４】
第１領域を照らす第１照明機器と、
前記第１領域の一部若しくは全部と第２領域とを照らす第２照明機器と、
前記第２照明機器で消費される消費電力を計測する電力センサと、
前記第１照明機器と前記第２照明機器とで照らされる前記第１領域の照度を計測する照度計測手段と、
前記第１領域に居る人を感知する第１人感センサと、
前記第２領域に居る人を感知する第２人感センサと、
前記第１人感センサが前記第１領域で人を感知し、かつ前記第２人感センサが前記第２領域で人を感知しない場合に、前記照度計測手段が計測した前記第１領域の照度が所定の照度より高い間、前記第２照明機器の光度を低下させる照明制御手段と、を備え、
前記照明制御手段は、前記第２照明機器の光度を低下させる前に前記電力センサが計測した消費電力と、前記第２照明機器の光度を低下させた後に前記電力センサが計測した消費電力と、の差異よりも少ない値に限り、前記第１照明機器の消費電力を増加させて、前記第１照明機器の光度を補正する、
ことを特徴とする制御システム。
【請求項５】
第１領域の一部若しくは全部と第２領域とを照らす第２照明機器で消費される消費電力を計測する電力センサと、
前記第１領域を照らす第１照明機器と前記第２照明機器との双方で照らされる前記第１領域の照度を計測する照度計測手段と、
前記第１領域に居る人を感知する第１人感センサが人を感知し、かつ前記第２領域に居る人を感知する第２人感センサが人を感知しない場合に、前記照度計測手段が計測した前記第１領域の照度が所定の照度より高い間、前記第２照明機器の光度を低下させる照明制御手段と、を備え、
前記照明制御手段は、前記第２照明機器の光度を低下させる前に前記電力センサが計測した消費電力と、前記第２照明機器の光度を低下させた後に前記電力センサが計測した消費電力と、の差異よりも少ない値に限り、前記第１照明機器の消費電力を増加させて、前記第１照明機器の光度を補正する、
ことを特徴とする制御システム。
【請求項６】
前記第２領域に設置された空調機と、
前記照明制御手段が前記第２照明機器の光度を低下させる前に前記電力センサが計測した消費電力と、前記第２照明機器の光度を低下させた後に前記電力センサが計測した消費電力と、の差異が所定値よりも小さい場合に、前記空調機の消費電力を低下させる空調制御手段と、を備える、
ことを特徴とする請求項３から５のいずれか一項に記載の制御システム。
【請求項７】
第１照明機器と第２照明機器とで照らされる第１領域の照度を表すデータを入力する照度入力手段と、
前記第２照明機器で消費される消費電力を表すデータを入力する消費電力入力手段と、
前記第１領域で人が感知されたか否かを表すデータと、前記第２照明機器で照らされる第２領域で人が感知されたか否かを表すデータと、を入力する感知結果入力手段と、
前記感知結果入力手段で入力されたデータが前記第１領域で人が感知されたことを表し、かつ前記第２領域で人が感知されなかったことを表す場合に、前記照度入力手段で入力されるデータが表す前記第１領域の照度が所定の照度より高い間に限り、前記第２照明機器の光度を低下させる照明制御手段と、を備え、
前記照度入力手段は、前記第１領域のそれぞれ異なる位置の照度を計測する複数の照度センサで計測された照度を表すデータをそれぞれ入力し、
前記照明制御手段は、
前記照度入力手段でそれぞれ入力されたデータで表される照度の変化の内で、前記第２照明機器の光度の変化により生じる、前記複数の照度センサがそれぞれ計測する照度の変化に基づいて、前記複数の照度センサを代表する代表照度センサを、前記複数の照度センサから選択し、
前記感知結果入力手段で入力されたデータが前記第１領域で人が感知されたことを表し、かつ前記第２領域で人が感知されなかったことを表す場合に、前記照度入力手段でそれぞれ入力されたデータで表される照度の内で、前記代表照度センサが計測した照度が所定の照度より高い間、前記第２照明機器の光度を低下させる、
ことを特徴とする制御装置。
【請求項８】
第１領域を照らす第１照明機器と前記第１領域の一部若しくは全部と第２領域とを照らす第２照明機器との双方で照らされる前記第１領域の照度を表すデータを入力する照度入力手段と、
前記第１領域で人が感知されたか否かを表すデータと、前記第２照明機器で照らされる第２領域で人が感知されたか否かを表すデータと、を入力する感知結果入力手段と、
前記感知結果入力手段で入力されたデータが前記第１領域で人が感知されたことを表し、かつ前記第２領域で人が感知されなかったことを表す場合に、前記照度入力手段で入力されるデータが表す前記第１領域の照度が所定の照度より高い間に限り、前記第２照明機器の光度を低下させる照明制御手段と、を備え、
前記照度入力手段は、前記第１領域のそれぞれ異なる位置の照度を計測する複数の照度センサで計測された照度を表すデータをそれぞれ入力し、
前記照明制御手段は、
前記照度入力手段でそれぞれ入力されたデータで表される照度の変化の内で、前記第２照明機器の光度の変化により生じる、前記複数の照度センサがそれぞれ計測する照度の変化に基づいて、前記複数の照度センサを代表する代表照度センサを、前記複数の照度センサから選択し、
前記感知結果入力手段で入力されたデータが前記第１領域で人が感知されたことを表し、かつ前記第２領域で人が感知されなかったことを表す場合に、前記照度入力手段でそれぞれ入力されたデータで表される照度の内で、前記代表照度センサが計測した照度が所定の照度より高い間、前記第２照明機器の光度を低下させる、
ことを特徴とする制御装置。
【請求項９】
第１照明機器と第２照明機器とで照らされる第１領域の照度を表すデータを入力する照度入力手段と、
前記第２照明機器で消費される消費電力を表すデータを入力する消費電力入力手段と、
前記第１領域で人が感知されたか否かを表すデータと、前記第２照明機器で照らされる第２領域で人が感知されたか否かを表すデータと、を入力する感知結果入力手段と、
前記感知結果入力手段で入力されたデータが前記第１領域で人が感知されたことを表し、かつ前記第２領域で人が感知されなかったことを表す場合に、前記照度入力手段で入力されるデータが表す前記第１領域の照度が所定の照度より高い間に限り、前記第２照明機器の光度を低下させる照明制御手段と、を備え、
前記照明制御手段は、前記第２照明機器の光度を低下させる前に前記消費電力入力手段で入力されたデータが表す消費電力と、前記第２照明機器の光度を低下させた後に入力されたデータが表す消費電力と、の差異よりも少ない値に限り、前記第１照明機器の消費電力を増加させて、前記第１照明機器の光度を補正する、
ことを特徴とする制御装置。
【請求項１０】
コンピュータを、
第１照明機器と第２照明機器とで照らされる第１領域の照度を表すデータを入力する照度入力手段、
前記第２照明機器で消費される消費電力を表すデータを入力する消費電力入力手段、
前記第１領域で人が感知されたか否かを表すデータと、前記第２照明機器で照らされる第２領域で人が感知されたか否かを表すデータと、を入力する感知結果入力手段、
前記感知結果入力手段で入力されたデータが前記第１領域で人が感知されたことを表し、かつ前記第２領域で人が感知されなかったことを表す場合に、前記照度入力手段で入力されるデータが表す前記第１領域の照度が所定の照度より高い間に限り、前記第２照明機器の光度を低下させる照明制御手段、として機能させ、
前記照度入力手段は、前記第１領域のそれぞれ異なる位置の照度を計測する複数の照度センサで計測された照度を表すデータをそれぞれ入力し、
前記照明制御手段は、
前記照度入力手段でそれぞれ入力されたデータで表される照度の変化の内で、前記第２照明機器の光度の変化により生じる、前記複数の照度センサがそれぞれ計測する照度の変化に基づいて、前記複数の照度センサを代表する代表照度センサを、前記複数の照度センサから選択し、
前記感知結果入力手段で入力されたデータが前記第１領域で人が感知されたことを表し、かつ前記第２領域で人が感知されなかったことを表す場合に、前記照度入力手段でそれぞれ入力されたデータで表される照度の内で、前記代表照度センサが計測した照度が所定の照度より高い間、前記第２照明機器の光度を低下させる、
ことを特徴とする制御プログラム。
【請求項１１】
コンピュータを、
第１領域を照らす第１照明機器と前記第１領域の一部若しくは全部と第２領域とを照らす第２照明機器との双方で照らされる前記第１領域の照度を表すデータを入力する照度入力手段、
前記第１領域で人が感知されたか否かを表すデータと、前記第２照明機器で照らされる第２領域で人が感知されたか否かを表すデータと、を入力する感知結果入力手段、
前記感知結果入力手段で入力されたデータが前記第１領域で人が感知されたことを表し、かつ前記第２領域で人が感知されなかったことを表す場合に、前記照度入力手段で入力されるデータが表す前記第１領域の照度が所定の照度より高い間に限り、前記第２照明機器の光度を低下させる照明制御手段、として機能させ、
前記照度入力手段は、前記第１領域のそれぞれ異なる位置の照度を計測する複数の照度センサで計測された照度を表すデータをそれぞれ入力し、
前記照明制御手段は、
前記照度入力手段でそれぞれ入力されたデータで表される照度の変化の内で、前記第２照明機器の光度の変化により生じる、前記複数の照度センサがそれぞれ計測する照度の変化に基づいて、前記複数の照度センサを代表する代表照度センサを、前記複数の照度センサから選択し、
前記感知結果入力手段で入力されたデータが前記第１領域で人が感知されたことを表し、かつ前記第２領域で人が感知されなかったことを表す場合に、前記照度入力手段でそれぞれ入力されたデータで表される照度の内で、前記代表照度センサが計測した照度が所定の照度より高い間、前記第２照明機器の光度を低下させる、
ことを特徴とする制御プログラム。
【請求項１２】
コンピュータを、
第１照明機器と第２照明機器とで照らされる第１領域の照度を表すデータを入力する照度入力手段、
前記第２照明機器で消費される消費電力を表すデータを入力する消費電力入力手段、
前記第１領域で人が感知されたか否かを表すデータと、前記第２照明機器で照らされる第２領域で人が感知されたか否かを表すデータと、を入力する感知結果入力手段、
前記感知結果入力手段で入力されたデータが前記第１領域で人が感知されたことを表し、かつ前記第２領域で人が感知されなかったことを表す場合に、前記照度入力手段で入力されるデータが表す前記第１領域の照度が所定の照度より高い間に限り、前記第２照明機器の光度を低下させる照明制御手段、として機能させ、
前記照明制御手段は、前記第２照明機器の光度を低下させる前に前記消費電力入力手段で入力されたデータが表す消費電力と、前記第２照明機器の光度を低下させた後に入力されたデータが表す消費電力と、の差異よりも少ない値に限り、前記第１照明機器の消費電力を増加させて、前記第１照明機器の光度を補正する、
ことを特徴とする制御プログラム。
【請求項１３】
第１照明機器と第２照明機器とで照らされる第１領域の照度を表すデータを入力する照度入力ステップと、
前記第２照明機器で消費される消費電力を表すデータを入力する消費電力入力ステップと、
前記第１領域で人が感知されたか否かを表すデータと、前記第２照明機器で照らされる第２領域で人が感知されたか否かを表すデータと、を入力する感知結果入力ステップと、
前記感知結果入力ステップで入力されたデータが前記第１領域で人が感知されたことを表し、かつ前記第２領域で人が感知されなかったことを表す場合に、前記照度入力ステップで入力されるデータが表す前記第１領域の照度が所定の照度より高い間に限り、前記第２照明機器の光度を低下させる照明制御ステップと、を有し、
前記照度入力ステップでは、前記第１領域のそれぞれ異なる位置の照度を計測する複数の照度センサで計測された照度を表すデータをそれぞれ入力し、
前記照明制御ステップでは、
前記照度入力ステップでそれぞれ入力されたデータで表される照度の変化の内で、前記第２照明機器の光度の変化により生じる、前記複数の照度センサがそれぞれ計測する照度の変化に基づいて、前記複数の照度センサを代表する代表照度センサを、前記複数の照度センサから選択し、
前記感知結果入力ステップで入力されたデータが前記第１領域で人が感知されたことを表し、かつ前記第２領域で人が感知されなかったことを表す場合に、前記照度入力ステップでそれぞれ入力されたデータで表される照度の内で、前記代表照度センサが計測した照度が所定の照度より高い間、前記第２照明機器の光度を低下させる、
ことを特徴とする制御方法。
【請求項１４】
第１領域を照らす第１照明機器と前記第１領域の一部若しくは全部と第２領域とを照らす第２照明機器との双方で照らされる前記第１領域の照度を表すデータを入力する照度入力ステップと、
前記第１領域で人が感知されたか否かを表すデータと、前記第２照明機器で照らされる第２領域で人が感知されたか否かを表すデータと、を入力する感知結果入力ステップと、
前記感知結果入力ステップで入力されたデータが前記第１領域で人が感知されたことを表し、かつ前記第２領域で人が感知されなかったことを表す場合に、前記照度入力ステップで入力されるデータが表す前記第１領域の照度が所定の照度より高い間に限り、前記第２照明機器の光度を低下させる照明制御ステップと、を有し、
前記照度入力ステップでは、前記第１領域のそれぞれ異なる位置の照度を計測する複数の照度センサで計測された照度を表すデータをそれぞれ入力し、
前記照明制御ステップでは、
前記照度入力ステップでそれぞれ入力されたデータで表される照度の変化の内で、前記第２照明機器の光度の変化により生じる、前記複数の照度センサがそれぞれ計測する照度の変化に基づいて、前記複数の照度センサを代表する代表照度センサを、前記複数の照度センサから選択し、
前記感知結果入力ステップで入力されたデータが前記第１領域で人が感知されたことを表し、かつ前記第２領域で人が感知されなかったことを表す場合に、前記照度入力ステップでそれぞれ入力されたデータで表される照度の内で、前記代表照度センサが計測した照度が所定の照度より高い間、前記第２照明機器の光度を低下させる、
ことを特徴とする制御方法。
【請求項１５】
第１照明機器と第２照明機器とで照らされる第１領域の照度を表すデータを入力する照度入力ステップと、
前記第２照明機器で消費される消費電力を表すデータを入力する消費電力入力ステップと、
前記第１領域で人が感知されたか否かを表すデータと、前記第２照明機器で照らされる第２領域で人が感知されたか否かを表すデータと、を入力する感知結果入力ステップと、
前記感知結果入力ステップで入力されたデータが前記第１領域で人が感知されたことを表し、かつ前記第２領域で人が感知されなかったことを表す場合に、前記照度入力ステップで入力されるデータが表す前記第１領域の照度が所定の照度より高い間に限り、前記第２照明機器の光度を低下させる照明制御ステップと、を有し、
前記照明制御ステップでは、前記第２照明機器の光度を低下させる前に前記消費電力入力手段で入力されたデータが表す消費電力と、前記第２照明機器の光度を低下させた後に入力されたデータが表す消費電力と、の差異よりも少ない値に限り、前記第１照明機器の消費電力を増加させて、前記第１照明機器の光度を補正する、
ことを特徴とする制御方法。
【発明の詳細な説明】
【技術分野】
【０００１】
本発明は、制御システム、制御装置、制御プログラム、及び制御方法に関する。
【背景技術】
【０００２】
従来から、効率的に業務を遂行するためには、業務を行う領域の照度が低下しないように照明機器を制御する技術が提案されてきた。例えば、特許文献１には、第１照明機器と第２照明機器とで照らされる第１領域に人が居り、第２照明機器で照らされる第２領域に人が居ない場合に第２照明機器を消灯すると、第１領域の照度低下を防止するため、第１照明機器の光度を増強させるシステムが記載されている。
【先行技術文献】
【特許文献】
【０００３】
【特許文献１】特開２０００−２８６０６３号公報
【発明の概要】
【発明が解決しようとする課題】
【０００４】
特許文献１に開示されているシステムは、第２照明機器の消灯により消費されなくなった電力よりも、第１照明機器の光度を増強させたことで増加する消費電力の方が多ければ、システム全体の消費電力が減少しないという問題がある。
【０００５】
本発明は、上記実情に鑑みてなされたものであり、その目的とするところは、第１照明機器と第２照明機器とで照らされる領域に人が居る場合に、当該領域の照度を所定の照度より高く保ちつつ、第１照明機器と第２照明機器とで消費される総消費電力を低くできる制御システム、制御装置、制御プログラム、及び制御方法を提供することを目的とする。
【課題を解決するための手段】
【０００６】
上記目的を達成するため、本発明の第一の観点に係る制御システムは、
第１領域を照らす第１照明機器と、
前記第１領域の一部若しくは全部と第２領域とを照らす第２照明機器と、
前記第２照明機器で消費される消費電力を計測する電力センサと、
前記第１照明機器と前記第２照明機器とで照らされる前記第１領域の照度を計測する照度計測手段と、
前記第１領域に居る人を感知する第１人感センサと、
前記第２領域に居る人を感知する第２人感センサと、
前記第１人感センサが前記第１領域で人を感知し、かつ前記第２人感センサが前記第２領域で人を感知しない場合に、前記照度計測手段が計測した前記第１領域の照度が所定の照度より高い間、前記第２照明機器の光度を低下させる照明制御手段と、を備え、
前記照度計測手段は、前記第１領域のそれぞれ異なる位置の照度を計測する複数の照度センサで構成され、
前記照明制御手段は、
前記第２照明機器の光度の変化により生じる、前記複数の照度センサがそれぞれ計測する照度の変化に基づいて、前記複数の照度センサを代表する代表照度センサを、前記複数の照度センサから選択し、
前記第１人感センサが前記第１領域で人を感知し、かつ前記第２人感センサが前記第２領域で人を感知しない場合に、前記代表照度センサが計測した照度が所定の照度より高い間、前記第２照明機器の光度を低下させる。
上記目的を達成するため、本発明の第二の観点に係る制御システムは、
第１領域を照らす第１照明機器と前記第１領域の一部若しくは全部と第２領域とを照らす第２照明機器との双方で照らされる前記第１領域の照度を計測する照度計測手段と、
前記第１領域に居る人を感知する第１人感センサが人を感知し、かつ前記第２領域に居る人を感知する第２人感センサが人を感知しない場合に、前記照度計測手段が計測した前記第１領域の照度が所定の照度より高い間、前記第２照明機器の光度を低下させる照明制御手段と、を備え、
前記照度計測手段は、前記第１領域のそれぞれ異なる位置の照度を計測する複数の照度センサで構成され、
前記照明制御手段は、
前記第２照明機器の光度の変化により生じる、前記複数の照度センサがそれぞれ計測する照度の変化に基づいて、前記複数の照度センサを代表する代表照度センサを、前記複数の照度センサから選択し、
前記第１人感センサが人を感知し、かつ前記第２人感センサが人を感知しない場合に、前記代表照度センサが計測した照度が所定の照度より高い間、前記第２照明機器の光度を低下させる。
上記目的を達成するため、本発明の第三の観点に係る制御システムは、
第１領域を照らす第１照明機器と、
前記第１領域の一部若しくは全部と第２領域とを照らす第２照明機器と、
前記第２照明機器で消費される消費電力を計測する電力センサと、
前記第１照明機器と前記第２照明機器とで照らされる前記第１領域の照度を計測する照度計測手段と、
前記第１領域に居る人を感知する第１人感センサと、
前記第２領域に居る人を感知する第２人感センサと、
前記第１人感センサが前記第１領域で人を感知し、かつ前記第２人感センサが前記第２領域で人を感知しない場合に、前記照度計測手段が計測した前記第１領域の照度が所定の照度より高い間、前記第２照明機器の光度を低下させる照明制御手段と、を備え、
前記照明制御手段は、前記第２照明機器の光度を低下させる前に前記電力センサが計測した消費電力と、前記第２照明機器の光度を低下させた後に前記電力センサが計測した消費電力と、の差異よりも少ない値に限り、前記第１照明機器の消費電力を増加させて、前記第１照明機器の光度を補正する。
上記目的を達成するため、本発明の第四の観点に係る制御システムは、
第１領域の一部若しくは全部と第２領域とを照らす第２照明機器で消費される消費電力を計測する電力センサと、
前記第１領域を照らす第１照明機器と前記第２照明機器との双方で照らされる前記第１領域の照度を計測する照度計測手段と、
前記第１領域に居る人を感知する第１人感センサが人を感知し、かつ前記第２領域に居る人を感知する第２人感センサが人を感知しない場合に、前記照度計測手段が計測した前記第１領域の照度が所定の照度より高い間、前記第２照明機器の光度を低下させる照明制御手段と、を備え、
前記照明制御手段は、前記第２照明機器の光度を低下させる前に前記電力センサが計測した消費電力と、前記第２照明機器の光度を低下させた後に前記電力センサが計測した消費電力と、の差異よりも少ない値に限り、前記第１照明機器の消費電力を増加させて、前記第１照明機器の光度を補正する。
【発明の効果】
【０００７】
本発明に係る制御システムによれば、第１照明機器と第２照明機器とで照らされる領域に人が居る場合に、当該領域の照度を所定の照度より高く保ちつつ、第１照明機器と第２照明機器とで消費される総消費電力を低くできる。
【図面の簡単な説明】
【０００８】
【図１】本発明の実施形態１に係る制御システムの一例を表す図である。
【図２】本発明に係る制御装置が有するハードウェアの一例を表す図である。
【図３】実施形態１に係る制御装置が有する機能の一例を表す機能ブロック図である。
【図４】実施形態１に係る制御装置が実行する省電力処理の一例を表すフローチャートである。
【図５】（ａ）は、実施形態１に係る制御装置が記憶する領域テーブルの一例を表す図である。（ｂ）は、実施形態１に係る制御装置が記憶する隣接領域テーブルの一例を表す図である。（ｃ）は、実施形態１に係る制御装置が記憶する消費電力テーブルの一例を表す図である。（ｄ）は、実施形態１に係る制御装置が記憶する照度テーブルの一例を表す図である。（ｅ）は、実施形態１に係る制御装置が記憶する感知結果テーブルの一例を表す図である。（ｆ）は、実施形態１に係る制御装置が記憶する制御テーブルの一例を表す図である。
【図６】制御装置が実行する調光目標値算出処理の一例を表すフローチャートである。
【図７】制御装置が実行する人感時減光処理の一例を表すフローチャートである。
【図８】制御装置が実行する増光補正処理の一例を表すフローチャートである。
【図９】制御装置が実行する非人感時減光処理の一例を表すフローチャートである。
【図１０】実施形態２に係る照度計測部の配置位置の一例を表す図である。
【図１１】（ａ）は、実施形態２に係る制御装置が記憶する領域テーブルの一例を表す図である。（ｂ）は、実施形態２に係る制御装置が記憶する隣接領域テーブルの一例を表す図である。
【図１２】実施形態２に係る制御装置が実行する代表照度センサ決定処理の一例を表すフローチャートである。
【図１３】実施形態３に係る制御システムの一例を表す図である。
【図１４】実施形態３に係る制御装置が有する機能の一例を表す機能ブロック図である。
【図１５】実施形態３に係る制御装置が記憶する領域テーブルの一例を表す図である。
【図１６】実施形態３に係る制御装置が実行する省電力処理の一部を表すフローチャートである。
【図１７】実施形態３に係る制御装置が実行する省電力処理の他部を表すフローチャートである。
【発明を実施するための形態】
【０００９】
＜実施形態１＞
以下、本発明の実施形態１について、添付図面を参照しつつ説明する。
【００１０】
図１は、実施形態１に係る制御システム１の構成を表す図である。  制御システム１は、領域１１から１３にそれぞれ設置された照明機器２１から２３の点灯及び消灯を制御する。
【００１１】
照明機器２１から２３は、制御装置１００にそれぞれ接続され、制御装置１００に指定された光度で点灯したり、消灯したりする。照明機器２１は、領域１１の全てと、領域１１に隣接する領域１２の一部と、を照らす。照明機器２２は、領域１２の全てと、領域１２に隣接する領域１１の一部及び領域１３の一部と、を照らす。照明機器２３は、領域１３の全てと、領域１３に隣接する領域１２の一部と、を照らす。
【００１２】
このため、照明機器２１の光度が低下すると、領域１１の照度と、領域１１の隣接領域１２の照度とが低下する。また、照明機器２２の光度が低下すると、領域１２の照度と、領域１２の隣接領域１１及び領域１３の照度と、が低下し、照明機器２３の光度が低下すると、領域１３の照度と、領域１３の隣接領域１２の照度と、が低下する。
【００１３】
制御システム１は、領域１１に設置された電力センサ３１、照度計測部４１、及び人感センサ５１と、領域１２に設置された電力センサ３２、照度計測部４２、及び人感センサ５２と、領域１３に設置された電力センサ３３、照度計測部４３、及び人感センサ５３と、制御装置１００と、を備える。
【００１４】
制御システム１は、照明機器２１から２３で消費される総消費電力を削減するため、領域１１から１３の内で、人感センサ５１から５３が人を感知しなかった領域（以下、不在領域という）を特定し、不在領域に隣接する領域の照度低下を抑制しながら、不在領域の照明機器の光度を低下させる。
【００１５】
電力センサ３１は、照明機器２１に接続された電力線に設置されており、照明機器２１で消費される電力を計測し、計測した消費電力を表すデータ（以下、消費電力データという）を制御装置１００へ出力する。電力センサ３２及び電力センサ３３は、照明機器２２の消費電力を表す消費電力データ及び照明機器２３の消費電力を表す消費電力データをそれぞれ制御装置１００へ出力する。
【００１６】
照度計測部４１から４３は、制御装置１００に接続されたセンサであるので、以下、それぞれ照度センサ４１から４３という。照度センサ４１は、制御装置１００に接続されており、領域１１の照度を計測し、計測した照度を表すデータ（以下、照度データ）を制御装置１００に出力する。照度センサ４２及び照度センサ４３は、領域１２の照度を表す照度データ及び領域１３の照度を表す照度データを制御装置１００に出力する。
【００１７】
人感センサ５１は、制御装置１００に接続されており、領域１１に居る人を感知し、感知結果を表すデータ（以下、感知結果データ）を制御装置１００に出力する。人感センサ５２及び人感センサ５３は、領域１２に居る人の感知結果を表す感知結果データ及び領域１３に居る人の感知結果を表す感知結果データを制御装置１００に出力する。
【００１８】
制御装置１００は、電力センサ３１ないし３３、照度センサ４１ないし４３、及び人感センサ５１ないし５３から出力されたデータに基づいて、照明機器２１ないし２３の点灯及び消灯を制御する。
【００１９】
制御装置１００は、図２に示すように、互いにバス１１２で接続されたＣＰＵ（Central Processing Unit）１０１、ＲＯＭ（Read Only Memory）１０２、ＲＡＭ（Random Access Memory）１０３、外部記憶装置１０４、ＬＣＤ（Liquid Crystal Display）コントローラ１０５、入力制御回路１０７、及び音声出力回路１０９と、ＬＣＤコントローラ１０５に接続されたＬＣＤ１０６、入力制御回路１０７に接続された操作ボタン１０８、及び音声出力回路１０９に接続されたスピーカ１１０と、を備える。
【００２０】
ＣＰＵ１０１は、ＲＯＭ１０２若しくは外部記憶装置１０４に保存されたプログラムを実行することで、制御装置１００の全体制御を行う。ＲＡＭ１０３は、ＣＰＵ１０１のワークメモリとして機能し、ＣＰＵ１０１によるプログラムの実行時において、処理対象のプログラムを記憶する。
【００２１】
外部記憶装置１０４は、フラッシュメモリ装置、ハードディスク装置等から構成され、ＣＰＵ１０１が実行する各種のプログラムや、ＣＰＵ１０１がプログラムを実行する際に参照する各種のデータ及びテーブルを記憶する。外部記憶装置１０４が記憶するテーブルについては後述する。
【００２２】
ＬＣＤコントローラ１０５は、ＣＰＵ１０１から指示された画像をＬＣＤ１０６に表示させるため、駆動信号（例えば、画像信号と走査信号）をＬＣＤ１０６に出力する。ＬＣＤ１０６は、駆動信号に従って各種の操作画面を表示する。
【００２３】
操作ボタン１０８は、各種キーで構成され、ユーザのキー操作に応じた信号を出力する。入力制御回路１０７は、ユーザのキー操作に応じた操作信号をＣＰＵ１０１へ出力する。
【００２４】
音声出力回路１０９は、ＣＰＵ１０１から出力された信号に対して各種信号処理を施す。スピーカ１１０は、音声出力回路１０９から出力された信号に基づいて音声を出力する。
【００２５】
ＬＡＮカード１１１は、制御装置１００と接続された電力センサ３１から３３、照度センサ４１から４３、及び人感センサ５１から５３から各種のデータを受信する。また、ＬＡＮカード１１１は、ＣＰＵ１０１から出力された各種の制御コマンドを、照明機器２１から２３へ送信する。
【００２６】
次に、図３を参照して、制御装置１００が有する機能について説明する。
制御装置１００のＣＰＵ１０１は、電力センサ３１から３３、照度センサ４１から４３、及び人感センサ５１から５３から各種データを入力するデータ入力処理を実行することで、図３に示す消費電力入力部１２０、照度入力部１３０、及び感知結果入力部１４０として機能する。
【００２７】
また、ＣＰＵ１０１は、照明機器２１から２３の光度を調節する調光処理、及び制御システム１で消費される電力を低下させる、図４に示す省電力処理を実行することで、図３に示す照明制御部１５０として機能する。さらに、ＣＰＵ１０１は、図２に示した外部記憶装置１０４と協働して、図３に示す情報記憶部１９０として機能する。
【００２８】
消費電力入力部１２０は、電力センサ３１を識別する電力センサＩＤ及び電力データを、電力センサ３１から入力する。また、消費電力入力部１２０は、電力センサ３２の電力センサＩＤ及び電力センサ３２が出力する電力データ、並びに、電力センサ３３の電力センサＩＤ及び電力センサ３３が出力する電力データ、を、電力センサ３２及び電力センサ３３からそれぞれ入力する。
【００２９】
照度入力部１３０は、照度センサ４１を識別する照度センサＩＤ及び照度データを、照度センサ４１から入力する。また、消費電力入力部１２０は、照度センサ４２の照度センサＩＤ及び照度データ、並びに、照度センサ４３の照度センサＩＤ及び照度データを、照度センサ４２及び照度センサ４３からそれぞれ入力する。
【００３０】
感知結果入力部１４０は、人感センサ５１を識別する人感センサＩＤ及び感知結果データを、人感センサ５１から入力する。また、消費電力入力部１２０は、人感センサ５２の人感センサＩＤ及び感知結果データ、並びに、人感センサ５３の人感センサＩＤ及び感知結果データを、人感センサ５２及び照度センサ５３からそれぞれ入力する。
【００３１】
照明制御部１５０は、消費電力入力部１２０、照度入力部１３０、及び感知結果入力部１４０で入力されたデータに基づいて、照明機器２１から２３を制御する。
【００３２】
情報記憶部１９０は、消費電力入力部１２０、照度入力部１３０、及び感知結果入力部１４０で入力されたデータを含む各種データを記憶する。
【００３３】
次に、図５を参照して、情報記憶部１９０が記憶するデータについて説明する。
情報記憶部１９０は、図５（ａ）に示す領域テーブルを記憶している。
領域テーブルには、領域を識別する情報（以下、領域ＩＤという）と、当該領域に設置された照明機器を識別する情報（以下、照明機器ＩＤという）と、当該照明機器で消費される電力を計測する電力センサを識別する情報（以下、電力センサＩＤという）と、当該領域の照度を計測する照度センサを識別する情報（以下、照度センサＩＤという）と、当該領域に居る人を感知する人感センサを識別する情報（以下、人感センサＩＤという）と、が複数対応付けられて保存されている。
【００３４】
また、情報記憶部１９０は、図５（ｂ）に示す隣接領域テーブルを記憶している。
隣接領域テーブルには、基準とする領域を識別する情報（以下、基準領域ＩＤという）と、当該領域に隣接する領域を識別する情報（以下、隣接領域ＩＤという）と、が複数対応付けられて保存されている。
【００３５】
さらに、情報記憶部１９０は、図５（ｃ）に示す消費電力テーブルを記憶している。
消費電力テーブルには、電力センサを識別する電力センサＩＤと、当該電力センサから入力された消費電力データと、が複数対応付けられて保存されている。
【００３６】
また、情報記憶部１９０は、図５（ｄ）に示す照度テーブルを記憶している。
照度テーブルには、照度センサを識別する照度センサＩＤと、当該照度センサから入力された照度データと、が複数対応付けられて保存されている。
【００３７】
さらに、情報記憶部１９０は、図５（ｅ）に示す感知結果テーブルを記憶している。
感知結果テーブルには、人感センサを識別する人感センサＩＤと、当該人感センサから入力された感知結果データと、が複数対応付けられて保存されている。
【００３８】
また、情報記憶部１９０は、図５（ｆ）に示す制御テーブルを記憶している。
制御テーブルには、領域を識別する領域ＩＤと、当該領域に設定された照度（以下、調光設定という）を表すデータ（以下、調光設定データという）と、が複数対応付けられて保存されている。
【００３９】
図５（ａ）、図５（ｂ）、及び図５（ｆ）に示すテーブルに保存されたデータは、制御システム１の管理者が操作ボタン１０８を操作したために、操作ボタン１０８に接続する入力制御回路１０７から出力されたデータをＣＰＵ１０１が保存したものである。
【００４０】
また、図５（ｃ）から及び図５（ｅ）に示すテーブルに保存されるデータは、図３に示す消費電力入力部１２０、照度入力部１３０、及び感知結果入力部１４０によるデータ入力処理の実行により保存される。
【００４１】
以下、データ入力処理について説明する。電源がＯＮにされると、消費電力入力部１２０は、データ入力処理を開始する。
【００４２】
先ず、消費電力入力部１２０は、電力センサ３１ないし３３から、電力センサＩＤと、電力データと、を、それぞれ入力する。次に、消費電力入力部１２０は、電力センサＩＤと、電力データと、を対応付けて、図５（ｃ）に示す消費電力テーブルに上書き保存する。
【００４３】
次に、照度入力部１３０は、照度センサ４１ないし４３から、照度センサＩＤと、照度データと、を、それぞれ入力する。次に、照度入力部１３０は、照度センサＩＤと、照度データと、を対応付けて、図５（ｄ）に示す照度テーブルに上書き保存する。
【００４４】
その後、感知結果入力部１４０は、人感センサ５１ないし５３から、人感センサＩＤと、感知結果データと、を、それぞれ入力する。次に、感知結果入力部１４０は、人感センサＩＤと、感知結果データと、を対応付けて、図５（ｅ）に示す感知結果テーブルに上書き保存する。
【００４５】
その後、消費電力入力部１２０が電力センサＩＤと、電力データと、を入力する処理に戻り、電源がＯＦＦにされるまで、上記処理が繰り返される。
【００４６】
次に、図５（ｆ）に示した制御テーブルを用いて、図３に示した照明制御部１５０が実行する調光処理について説明する。
【００４７】
電源がＯＮにされると、照明制御部１５０は、電源がＯＦＦにされるまで、所定周期で、前述のデータ入力処理と並列的に、調光処理の実行を行う。
【００４８】
調光処理の実行を開始すると、照明制御部１５０は、図５（ｆ）に示す制御テーブルから、領域ＩＤ「11」と領域１１の調光設定データとを取得する。
【００４９】
次に、照明制御部１５０は、取得した領域ＩＤ「11」に対応付けた照明機器ＩＤ「21」と、照度センサＩＤ「41」と、を、図５（ａ）に示す領域テーブルから取得する。その後、照明制御部１５０は、取得した照度センサＩＤ「41」に対応付けられた照度データを、図５（ｄ）に示す照度テーブルから取得する。
【００５０】
次に、照明制御部１５０は、領域１１の照度データで表される照度が、領域１１の調光設定データで表される調光設定よりも低いか否かを判別する。このとき、照明制御部１５０は、照度が調光設定よりも低いと判別すると、照明機器ＩＤ「21」で識別される照明機器２１の光度を増加させる。これに対して、照明制御部１５０は、照度が調光設定よりも高いと判別すると、照明機器２１の光度を減少させる。また、照明制御部１５０は、照度が調光設定と同じであると判別すると、照明機器２１の光度を調節しない。
【００５１】
その後、照明制御部１５０は、領域１２及び１３について、領域１１について行った上記処理と同様の処理を実行した後に、調光処理の実行を終了する。
【００５２】
次に、図３に示す照明制御部１５０で実行される省電力処理について、図４を参照して説明する。
【００５３】
照明制御部１５０は、所定周期で、図５（ｅ）に示す感知結果テーブルを参照する。このとき、照明制御部１５０は、感知結果テーブルに保存された感知結果が、人を感知したことを表す「存」から人を感知しなかったことを表す「否」に変化したことを検出すると、図４に示す省電力処理の実行を、前述のデータ入力処理及び前述の調光処理と並列して実行する。
【００５４】
先ず、照明制御部１５０は、「存」から「否」に変化した感知結果に対応付けられた人感センサＩＤを検索する。照明制御部１５０は、検索した人感センサＩＤに対応付けられた領域ＩＤを、図５（ａ）に示す領域テーブルから検索することで、人が不在となった領域（以下、不在領域という）を特定する。
【００５５】
ここでは、図５（ａ）に示す領域テーブルにおいて、「存」から「否」に変化した感知結果と、領域ＩＤ１２と、が対応付けられており、照明制御部１５０は、領域１２を不在領域と特定した場合を例に挙げて説明する。
【００５６】
次に、照明制御部１５０は、不在領域１２を識別する領域ＩＤ（以下、不在領域ＩＤという）「12」に対応付けられた隣接領域ＩＤ「11」及び「13」を、図５（ｂ）に示す隣接領域テーブルから検索する（ステップＳ０１）。これにより、照明制御部１５０は、省電力のために、不在領域１２に設置された照明機器２２の光度を低下させた場合に、照度が低下する領域が隣接領域１１及び１３であると特定する。
【００５７】
その後、照明制御部１５０は、隣接領域ＩＤにそれぞれ対応付けられた人感センサＩＤを、図５（ａ）に示す領域テーブルから検索し、検索された人感センサＩＤに対応付けられた感知結果データを、図５（ｅ）に示す感知結果テーブルから検索する（ステップＳ０２）。これにより、照明制御部１５０は、不在領域１２の隣接領域１１及び１３で、それぞれ人が感知されたか否かを特定する。
【００５８】
次に、照明制御部１５０は、検索された隣接領域１１の感知結果データ及び隣接領域１３の感知結果データのいずれかが、人を感知したことを表すか否かを判別する（ステップＳ０３）。
【００５９】
このとき、検索された隣接領域１１の感知結果データ及び隣接領域１３の感知結果データの双方が、人を感知したことを表す感知結果である場合を例に挙げて説明を行う。尚、検索された隣接領域１１の感知結果データ若しくは隣接領域１３の感知結果データのいずれか１つが、人を感知したことを表す感知結果である場合も同様であるので説明を省略する。
【００６０】
このとき、照明制御部１５０は、検索された感知結果データの双方が人を感知したことを表すと判別し（ステップＳ０３；Ｙｅｓ）、不在領域１２に設置された照明機器２２の光度を制御する際に目標とする隣接領域１１及び１３の照度（以下、調光目標値という）を算出する調光目標値算出処理を実行する（ステップＳ０４）。
【００６１】
図６に示す調光目標値算出処理を開始すると、照明制御部１５０は、ステップＳ０１で検索された
隣接領域ＩＤ（以下、検索隣接領域ＩＤという）１１及び１３にそれぞれ対応付けられた調光設定データを、図５（ｆ）に示す制御テーブルから検索する（ステップＳ２１）。
【００６２】
照明制御部１５０は、業務を遂行できる照度の下限値（以下、業務遂行可能照度の下限値という）を情報記憶部１９０から読み出す。次に、照明制御部１５０は、検索隣接領域１１及び１３のそれぞれについて、以下の式（１）を用いて、現在の調光設定からどれだけ業務遂行可能照度の下限値が低い照度であるかを表す値（以下、余裕照度という）を算出する（ステップＳ２２）。
【００６３】
余裕照度＝検索隣接領域の調光設定−業務遂行可能照度の下限値・・・（１）
【００６４】
その後、照明制御部１５０は、検索隣接領域１１及び１３について、以下の式（２）を用いて、不在領域１２に設置された照明機器２２の光度を低下させることで生じる隣接領域の照度の低下をどの程度許容するかを表す許容照度をそれぞれ算出する（ステップＳ２３）。
【００６５】
許容照度＝検索隣接領域の調節設定×余裕照度で定まる係数・・・（２）
但し、０＜余裕照度で定まる係数＜１
【００６６】
この余裕照度で定まる係数は、余裕照度が大きくなる程大きい値となり、余裕照度が小さくなる程小さい値となる。
【００６７】
次に、照明制御部１５０は、算出した検索隣接領域１１の許容照度と、検索隣接領域１３の許容照度と、の内で、小さい方の許容照度を最小許容照度とする。その後、検索隣接領域１１及び１３について、以下の式（３）を用いて、調光目標値を算出した後に調光目標値算出処理の実行を終了する。
【００６８】
調光目標値＝検索隣接領域の調光設定−最小許容照度・・・（３）
【００６９】
図４に示すステップＳ０４の実行が終了した後に、照明制御部１５０は、検索隣接領域１１及び１３に設置された照明機器２１及び２３の調光処理を中止する（ステップＳ０５）。調光処理で行われる光度の調整と、省電力処理で行われる光度の調整と、が相反しないようにするためである。
【００７０】
次に、照明制御部１５０は、不在領域ＩＤ「12」に対応付けられた消費電力センサＩＤ「32」を、図５（ａ）に示す領域テーブルから検索した後に、検索した消費電力センサＩＤ「32」に対応付けられた消費電力データを、図５（ｃ）に示す消費電力テーブルから検索する（ステップＳ０６）。これにより、照明制御部１５０は、不在領域１２に設置された照明機器２２の消費電力を特定する。
【００７１】
その後、照明制御部１５０は、検索隣接領域のいずれか１つ以上で人が感知された場合に、不在領域の照明機器の光度を減少させる人感時減光処理を実行する（ステップＳ０７）。
【００７２】
図７に示す人感時調光処理の実行を開始すると、照明制御部１５０は、不在領域ＩＤ「12」に対応付けられた調光設定データを、図５（ｆ）に示す制御テーブルから検索する（ステップＳ３１）。
【００７３】
次に、照明制御部１５０は、検索した調光設定データで表される調光設定（すなわち、不在領域１２に設定された照度）から所定の値だけ減算した値を、新たな調光設定とする（ステップＳ３２）。その後、照明制御部１５０は、不在領域ＩＤ「12」と、新たな調光設定を表す調光設定データと、を対応付けて、図５（ｆ）に示す制御テーブルに上書き保存する（ステップＳ３３）。
【００７４】
次に、照明制御部１５０は、所定の時間に亘って待機する（ステップＳ３４）。この所定の時間は、前述の調光処理の実行により新たな調光設定に基づいて不在領域１２に設置された照明機器２２の光度が低下してから、前述のデータ入力処理により照度センサ４２から入力されたデータが、図５（ｄ）の照度テーブルに保存されるまでに要する時間である。
【００７５】
その後、照明制御部１５０は、検索隣接領域１１及び１３のそれぞれについて、隣接領域ＩＤに対応付けられた照度センサＩＤに、図５（ｄ）に示す照度テーブルで対応付けられた照度データを検索する（ステップＳ３５）。これにより、照明制御部１５０は、照明機器２２の光度低下によって低下した隣接領域１１及び１３の照度を特定する。
【００７６】
次に、照明制御部１５０は、検索隣接領域１１の照度及び検索隣接領域１３の照度のいずれか少なくとも一方が、図４のステップＳ０４で算出された調光目標値以下である、若しくは、ステップＳ３２で算出された新たな調光設定が値「0」以下であるか否かを判別する（ステップＳ３６）。
【００７７】
ステップＳ３６において、照明制御部１５０は、検索隣接領域１１の照度及び検索隣接領域１３の照度の双方がそれぞれの調光目標値よりも大きく、かつ新たな調光設定が値「0」より大きいと判別すると（ステップＳ３６；Ｎｏ）、ステップＳ３２に戻り、上記処理を繰り返す。これにより、不在領域１２に設置された照明機器２２の光度がさらに低下する。
【００７８】
ステップＳ３６において、照明制御部１５０は、検索隣接領域１１の照度及び検索隣接領域１３の照度のいずれか少なくとも一方が調光目標値以下である、若しくは、新たな調光設定が値「0」以下であると判別すると（ステップＳ３６；Ｙｅｓ）、人感時調光処理の実行を終了する。
【００７９】
図４に示すステップＳ０７を実行した後に、照明制御部１５０は、不在領域ＩＤ「12」に対応付けられた消費電力センサＩＤ「32」と、図５（ｃ）に示す消費電力テーブルで対応付けられた消費電力データを検索する。これにより、照明制御部１５０は、光度を低下させた照明機器２２で消費される消費電力を特定する（ステップＳ０８）。
【００８０】
その後、照明制御部１５０は、以下の式（４）を用いて、照明機器２２の光度を減少させる前と後とで変化した消費電力（以下、照明省電力という）を算出する（ステップＳ０９）。
【００８１】
照明省電力＝照明制御前の消費電力−照明制御後の消費電力・・・（４）
但し、
照明制御前の消費電力：ステップＳ０６で検索した消費電力データで表される消費電力
照明制御後の消費電力：ステップＳ０８で検索した消費電力データで表される消費電力
【００８２】
次に、照明制御部１５０は、照明機器２２の光度を減少させることで生じた隣接領域１１及び１３の照度の低下を補正するため、照明機器２１及び２３の光度を増加させるのに必要な電力（以下、増光補正用電力という）を、以下の式（５）を用いて算出する（ステップＳ１０）。
【００８３】
増光補正用電力＝照明省電力×所定の割合・・・（５）
【００８４】
その後、照明制御部１５０は、増光補正用電力を用いて照明機器２１及び２３の光度を増加させる増光補正処理を実行する（ステップＳ１１）。
【００８５】
図８に示す増光補正処理を開始すると、照明制御部１５０は、検索隣接領域ＩＤ「11」及び「13」のそれぞれに対応付けられた電力センサＩＤ「31」及び「32」と、図５（ｃ）に示す消費電力テーブルでそれぞれ対応付けられた消費電力データを検索する（ステップＳ４１）。
【００８６】
次に、照明制御部１５０は、検索隣接領域ＩＤ「11」及び「13」のそれぞれに対応付けられた調光設定データを、図５（ｆ）に示す制御テーブルから検索する（ステップＳ４２）。
【００８７】
照明制御部１５０は、ステップＳ４２で検索された調光設定データで表される調光設定に、所定の値を加算した値を新たな調光設定とする（ステップＳ４３）。その後、照明制御部１５０は、新たな調光設定を表すデータと、検索隣接領域ＩＤと、を対応付けて、図５（ｆ）に示す制御テーブルに保存する（ステップＳ４４）。
【００８８】
次に、照明制御部１５０は、所定の時間に亘って待機する（ステップＳ４５）。この所定の時間は、前述の調光処理の実行により新たな調光設定に基づいて照明機器２１及び２３の光度が増加してから、前述のデータ入力処理により照度センサ４１及び４３からそれぞれ入力されたデータが、図５（ｄ）の照度テーブルに保存されるまでに要する時間である。
【００８９】
その後、照明制御部１５０は、ステップＳ４１と同様の処理を実行することで、光度を増加させた照明機器２１の消費電力と、照明機器２１の消費電力と、を特定する（ステップＳ４６）。
【００９０】
次に、照明制御部１５０は、以下の式（６）及び（７）を用いて、照明機器２１及び照明機器２３の光度を増加させる前と後とで変化した消費電力の値（以下、照明省電力という）を算出する。
【００９１】
照明総増加電力＝照明機器２１の増加消費電力＋照明機器２３の増加消費電力・・・（６）
増加消費電力＝増光後の消費電力−増光前の消費電力・・・（７）
増光前の消費電力：ステップＳ４１で検索した消費電力データで表される消費電力
増光後の消費電力：ステップＳ４６で検索した消費電力データで表される消費電力
【００９２】
照明制御部１５０は、照明総増加電力が増光補正用電力以上であるか否かを判別する（ステップＳ４７）。このとき、照明制御部１５０は、照明総増加電力が増光補正用電力より小さいと判別すると（ステップＳ４７；Ｎｏ）、ステップＳ４３に戻り上記処理を繰り返すことで、照明機器２１及び２３の光度を増加させる。
【００９３】
ステップＳ４７において、照明制御部１５０は、照明総増加電力が増光補正用電力以上であると判別すると（ステップＳ４７；Ｙｅｓ）、増光補正処理の実行を終了する。
【００９４】
図４に示すステップＳ１１の処理を実行した後に、ステップＳ０５で中止した検索隣接領域１１及び１３の調光処理の実行を再開してから（ステップＳ１２）、省電力処理の実行を終了する。
【００９５】
以上、領域１１及び領域１３に人が居るときに、領域１２から人が居なくなった場合を例に挙げて、照明制御部１５０で実行される省電力処理について説明した。
【００９６】
次に、領域１１及び領域１３に人が居ないときに、領域１２から人が居なくなった場合を例に挙げて省電力処理を説明する。
【００９７】
先ず、照明制御部１５０は、ステップＳ０１及びステップＳ０２の処理を実行した後に、不在領域１２に隣接する隣接領域１１の感知結果及び隣接領域１３の感知結果の双方が人を感知しなかったという感知結果であると判別する（ステップＳ０３；Ｎｏ）。
【００９８】
次に、照明制御部１５０は、不在領域１２の調光目標値を、予め定められた最小値とする（ステップＳ１３）。
【００９９】
次に、照明制御部１５０は、不在領域の隣接領域で人が感知されないときに（以下、非人感時という）、不在領域の照明機器の光度を減少させる非人感時減光処理を実行する（ステップＳ１４）。
【０１００】
図９に示す非人感時減光処理の実行を開始すると、照明制御部１５０は、図７に示すステップＳ３１からステップＳ３４と同様の処理を実行する（ステップＳ５１からステップＳ５４）。これにより、照明制御部１５０は、図５（ｆ）に示す制御テーブルに保存された不在領域１２の調光設定を所定の値だけ小さい値に更新した後に、不在領域１２に設置された照明機器２２の光度が低下するのに十分な時間待機する。
【０１０１】
その後、照明制御部１５０は、不在領域ＩＤ「12」に対応付けられた照度センサＩＤ「42」と、図５（ｄ）に示す照度テーブルで対応付けられた照度データを検索することで、照明機器２２の光度低下により低下した不在領域１２の照度を特定する（ステップＳ５５）。
【０１０２】
次に、照明制御部１５０は、不在領域１２の照度が、図４のステップＳ１３で決定された調光目標値以下であるか否かを判別する（ステップＳ５６）。
【０１０３】
ステップＳ５６において、照明制御部１５０は、不在領域１２の照度が調光目標値よりも大きいと判別すると（ステップＳ５６；Ｎｏ）、ステップＳ５２に戻り、上記処理を繰り返す。これにより、不在領域１２に設置された照明機器２２の光度がさらに低下する。
【０１０４】
ステップＳ５６において、照明制御部１５０は、不在領域１２の照度が調光目標値以下であると判別すると（ステップＳ５６；Ｙｅｓ）、非人感時調光処理の実行を終了する。
【０１０５】
照明制御部１５０は、図４に示すステップＳ１４の処理を実行した後に、省電力処理の実行を終了する。
【０１０６】
これらの構成によれば、制御装置１００は、人感センサ５２が領域１２で人を感知せず、かつ人感センサ５１が領域１１で人を感知した場合に、照度センサ４１が計測する領域１１の照度が調光目標値より高い間に限り、領域１１と領域１２とを照らす照明機器２２の光度を低下させる。このため、制御装置１００は、人が居る領域１１の照度を調光目標値より高く保ちつつ、照明機器２１及び照明機器２２で消費される総消費電力を低くできる。
【０１０７】
またこれらの構成によれば、制御装置１００は、照明機器２２の光度を低下させる前に電力センサ３２が計測した消費電力と、照明機器２２の光度を低下させた後に電力センサ３１が計測した消費電力と、の差異よりも少ない値に限り、照明機器２１の消費電力を増加させる。このため、制御装置１００は、照明機器２１及び照明機器２２で消費される総消費電力を低くしながら、人が居る領域１１の照度の低下を軽減できる。
【０１０８】
＜実施形態１の変形例１＞
人感センサ５１から５３は、人を検出する手段として用いられる。実施形態１では、人感センサ５１から５３のぞれぞれは、赤外線センサ若しくはカメラなどの、直接人を物理情報として検出する手段で実現される。これに対して、変形例では、例えば、人感センサ５１から５３は、制御装置１００に含まれ、制御装置１００が有するＣＰＵ１０１で実現される機能部である。
【０１０９】
変形例１において、制御装置１００の外部記憶装置１０４は、領域１１から１３にそれぞれを識別する複数の領域ＩＤと、領域１１から１３にそれぞれ設置されたパーソナル・コンピュータを識別する複数のコンピュータＩＤと、を対応付けたテーブル（以下、コンピュータテーブルという）を記憶している。
【０１１０】
また、制御装置１００のＬＡＮカード１１１は、領域１１から１３にそれぞれ設置されたパーソナル・コンピュータからコンピュータＩＤと、当該コンピュータＩＤで識別されるコンピュータが操作されたことを表す操作情報と、を受信する。
【０１１１】
制御装置１００のＣＰＵ１０１は、ＬＡＮカード１１１から、コンピュータＩＤと操作情報とを取得し、取得したコンピュータＩＤに基づいてコンピュータテーブルを検索することで、ユーザにより操作されたコンピュータの設置された領域を特定し、特定した領域に人が居ることを検出する。このように、ＣＰＵ１０１は、コンピュータＩＤ及び操作情報などの間接情報を介して、コンピュータＩＤで識別されるコンピュータの設置された領域に人が居ることを検知する方法を実行する。
【０１１２】
＜実施形態１の変形例２＞
変形例１では、人感センサ５１から５３は、制御装置１００に含まれ、制御装置１００が有するＣＰＵ１０１で実現される機能部であり、領域１１から１３にそれぞれ設置されたパーソナル・コンピュータから操作情報を受信するとして説明した。これに対して、変形例２では、人感センサ５１から５３は、領域１１から１３でそれぞれ使用される携帯端末から操作情報を受信する。
【０１１３】
変形例２において、制御装置１００の外部記憶装置１０４は、領域１１ないし１３にそれぞれを識別する複数の領域ＩＤと、領域１１ないし１３からアクセス可能なアクセスを識別するアクセスポイントＩＤと、を対応付けたアクセスポイントテーブルを記憶している。
【０１１４】
また、制御装置１００のＬＡＮカード１１１は、領域１１から１３にそれぞれ設置されたアクセスポイントを識別するアクセスポイントＩＤと、当該アクセスポイントにアクセスする携帯端末が操作されたことを表す操作情報と、を受信する。
【０１１５】
制御装置１００のＣＰＵ１０１は、ＬＡＮカード１１１から、アクセスポイントＩＤと操作情報とを取得し、取得したアクセスポイントＩＤに基づいてアクセスポイントテーブルを検索することで、ユーザにより操作された携帯端末の在る領域を特定し、特定した領域に人が居ることを検出する。このように、ＣＰＵ１０１は、アクセスポイントＩＤ及び操作情報などの間接情報を介して、コンピュータＩＤで識別されるコンピュータの設置された領域に人が居ることを検知する方法を実行する。
【０１１６】
＜実施形態２＞
実施形態１では、領域１１から１３にそれぞれ１つの照度センサ４１から４３が設置されているとして説明した。本施形態では、図１０に示すように、領域１１に、照度計測部４１が設置され、領域１２に、照度計測部４２が設置され、領域１３に、照度計測部４３が設置されている。照度計測部４１は、９個の照度センサ４１ａから４１ｉで構成されており、照度計測部４２は、９個の照度センサ４２ａから４２ｉで構成されており、照度計測部４３は、９個の照度センサ４３ａから４３ｉで構成されている。以下、実施形態１との相違点について主に説明する。
【０１１７】
本施形態に係る制御装置１００のハードウェア構成は、図２を参照して実施形態１で説明したハードウェア構成と同様である。
【０１１８】
本施形態に係るＣＰＵ１０１は、実施形態１と同様に、図３に示す消費電力入力部１２０、照度入力部１３０、感知結果入力部１４０、及び照明制御部１５０として機能する。また、本施形態に係るＣＰＵ１０１は、外部記憶装置１０４と協働して情報記憶部１９０として機能する。
【０１１９】
情報記憶部１９０は、図５（ａ）に示す領域テーブルではなく、図１１（ａ）に示す領域テーブルを記憶している。図１１（ａ）に示す領域テーブルには、領域を識別する領域ＩＤ、当該領域に設置された照明機器の照明機器ＩＤ、当該照明機器の消費電力を計測する電力センサの電力センサＩＤ、及び当該領域に居る人を感知する人感センサの人感センサＩＤと、当該領域に設置された複数の照度センサの照度センサＩＤと、が対応けられて保存されている。
【０１２０】
情報記憶部１９０は、図５（ｂ）に示す隣接テーブルではなく、図１１（ｂ）に示す隣接テーブルを記憶している。図１１（ｂ）に示す領域テーブルには、基準領域を識別する基準領域ＩＤ及び当該基準領域に隣接する隣接領域の隣接領域ＩＤと、隣接領域を代表する照度センサ（以下、代表照度センサという）の照度センサＩＤ（以下、代表照度センサＩＤという）と、が対応けられて保存されている。
【０１２１】
本施形態において、図３に示す照明制御部１５０は、電源がＯＮにされると、前述の調光処理及び前述のデータ入力処理を実行する。また、照明制御部１５０は、図４に示す省電力処理の実行に先立って、代表照度センサを決定する、図１２に示す代表照度センサ決定処理を、前述の調光処理及び前述のデータ入力処理と並列して実行する。
【０１２２】
代表照度センサ決定処理の実行を開始すると、照明制御部１５０は、図１１（ａ）に示す領域テーブルに保存された領域ＩＤで識別される領域の内で、未選択の領域を１つ選択し、選択した領域（以下、選択領域という）の領域ＩＤを選択ＩＤとする（ステップＳ６１）。
【０１２３】
次に、照明制御部１５０は、選択領域ＩＤに対応付けられた隣接領域ＩＤを、図１１（ｂ）に示す隣接領域テーブルから検索する（ステップＳ６２）。これにより、照明制御部１５０は、選択領域に設置された照明機器の光度を低下させた場合に、照度が低下する隣接領域を特定する。
【０１２４】
その後、照明制御部１５０は、検索した隣接領域ＩＤに対応付けられた照度センサＩＤを、図１１（ａ）の領域テーブルから全て検索する（ステップＳ６３）。これにより、照明制御部１５０は、検索された隣接領域ＩＤ（以下、検索隣接領域ＩＤという）で識別される領域（以下、検索隣接領域という）に設置された照度センサを全て特定する。
【０１２５】
次に、照明制御部１５０は、検索した照度センサＩＤ（以下、検索センサＩＤという）にそれぞれ対応付けられた照度データを、図５（ｄ）に示す照度テーブルから検索する（ステップＳ６４）。これにより、各検索センサＩＤで識別される照度センサが計測した照度を特定する。
【０１２６】
その後、照明制御部１５０は、選択領域に設置された照明機器の光度を所定値低下させる減光処理を行う（ステップＳ６５）。
【０１２７】
次に、照明制御部１５０は、所定の時間に亘って待機する（ステップＳ６６）。この所定の時間は、選択領域に設置された照明機器の光度が低下し、選択領域に隣接する領域に設置された照度センサから入力されたデータが、図５（ｄ）の照度テーブルに保存されるまでに要する時間である。
【０１２８】
その後、照明制御部１５０は、ステップＳ６４と同様の処理を実行することで、照度センサが計測した照度を特定する（ステップＳ６７）。
【０１２９】
その後、照明制御部１５０は、検索センサＩＤ毎に、ステップＳ６４で検索された照度データで表される照度から、ステップＳ６７で検索された照度データで表される照度への変化量（以下、照度変化量という）を算出する（ステップＳ６８）。
【０１３０】
その後、照明制御部１５０は、照度変化量が最大の照度センサを代表照度センサとする。その後、照明制御部１５０は、選択領域ＩＤを基準領域ＩＤとし、検索隣接領域ＩＤを隣接領域ＩＤとし、当該代表照度センサを識別する照度センサＩＤを代表センサＩＤとした後に、それぞれを対応付けて、図１１（ｂ）に示した隣接領域テーブルに保存する（ステップＳ６９）。
【０１３１】
次に、照明制御部１５０は、図１１（ａ）に示す領域テーブルに保存された領域ＩＤの全てを選択したか否かする（ステップＳ７１）。このとき、照明制御部１５０は、領域テーブルに保存された領域ＩＤの全てを選択しなかったと判別すると（ステップＳ７１；Ｎｏ）、ステップＳ６１に戻り上記処理を繰り返す。
【０１３２】
これに対して、照明制御部１５０は、領域テーブルに保存された領域ＩＤの全てを選択したと判別すると（ステップＳ７１；Ｙｅｓ）、代表照度センサ決定処理の実行を終了する。
【０１３３】
代表照度センサ決定処理の実行が終了すると、照明制御部１５０は、不在領域の領域ＩＤと、当該不在領域に隣接する領域の領域ＩＤと、に対応付けられた代表照度センサＩＤで識別される照度センサで計測された照度を用いて、図４に示した省電力処理を実行する。
【０１３４】
これらの構成によれば、制御装置１００は、領域１１に設置された照度センサ４１ａから４１ｉの内で、領域１２に設置された照明機器２２の光度が低下すると、計測される照度が最も低下する照度センサを代表照度センサに決定する。また、制御装置１００は、人感センサ５１が領域１１で人を感知し、かつ人感センサ５２が領域１２で人を感知しない場合に、領域１１の代表照度センサが計測する照度が調光目標値より高い間に限り、領域１１と領域１２とを照らす照明機器２２の光度を低下させる。このため、制御装置１００は、人が居る領域１１の照度を調光目標値より高く保ちながら、照明機器２１及び照明機器２２で消費される総消費電力を低くできる。
【０１３５】
＜実施形態３＞
実施形態３に係る制御システム１は、図１３に示すような、領域１１から１３にそれぞれ設置された空調機６１から６３を制御する。以下、実施形態１との相違点について主に説明する。
【０１３６】
空調機６１から６３は、制御装置１００にそれぞれ接続され、制御装置１００の制御に従って運転を行う。
【０１３７】
電力センサ３１は、照明機器２１及び空調機６１に接続された電力線に設置されており、照明機器２１及び空調機６１の総消費電力を計測し、計測した総消費電力を表す電力データを制御装置１００へ出力する。電力センサ３２及び電力センサ３３は、電力センサ３１と同様に、照明機器２２及び空調機６２の総消費電力を表す消費電力データ及び照明機器２３及び空調機６３の総消費電力を表す消費電力データをそれぞれ制御装置１００へ出力する。
【０１３８】
本施形態に係る制御装置１００のハードウェア構成は、図２を参照して実施形態１で説明したハードウェア構成と同様である。
【０１３９】
本施形態に係るＣＰＵ１０１は、図１４に示すように、実施形態１で説明した消費電力入力部１２０、照度入力部１３０、感知結果入力部１４０、及び照明制御部１５０、並びに、空調制御部１６０として機能する。また、本施形態に係るＣＰＵ１０１は、外部記憶装置１０４と協働して情報記憶部１９０として機能する。
【０１４０】
情報記憶部１９０は、図５（ａ）に示す領域テーブルではなく、図１５に示す領域テーブルを記憶している。図１５に示す領域テーブルには、領域を識別する領域ＩＤ、当該領域に設置された照明機器の照明機器ＩＤ、当該照明機器の消費電力を計測する電力センサの電力センサＩＤ、当該領域の照度を計測する照度センサの照度センサＩＤと、及び当該領域に居る人を感知する人感センサの人感センサＩＤと、当該領域に設置された空調機を識別する情報（以下、空調機ＩＤという）と、が対応けられて保存されている。
【０１４１】
本施形態において、図１４に示す照明制御部１５０は、図４に示す省電力処理ではなく、図１６及び図１７に示す省電力処理を実行する。以下、領域１２が不在領域である場合を例に挙げて説明する。
【０１４２】
照明制御部１５０は、省電力処理の実行を開始すると、図４のステップＳ０１及びステップＳ０２と同様の処理を実行する（ステップＳ８１及びステップＳ８２）。次に、照明制御部１５０は、図４のステップＳ０３と同様の処理を実行することで、不在領域１２に隣接した隣接領域１１若しく隣接領域１３で人が感知されたか否かを判別する（ステップＳ８３）。
【０１４３】
このとき、照明制御部１５０は、隣接領域１１若しく隣接領域１３又は隣接領域１１及び隣接領域１３の双方で人が感知されたと判別すると（ステップＳ８３；Ｙｅｓ）、図４のステップＳ０４からステップＳ０９と同様の処理を実行する（ステップＳ８４からステップＳ８９）。これにより、照明制御部１５０は、不在領域１１に設置された照明機器２２の光度を低下させることで、消費を抑制した電力（つまり、照明省電力）を算出する。
【０１４４】
その後、照明制御部１５０は、ステップＳ８９で算出した照明省電力が、所定値より大きいか否かを判別する（ステップＳ９０）。このとき、照明制御部１５０は、照明省電力が所定値より大きいと判別すると（ステップＳ９０；Ｙｅｓ）、図４のステップＳ１０と同様の処理を実行することで、増光補正用電力を算出する（ステップＳ９１）。
【０１４５】
これに対して、照明制御部１５０が、照明省電力が所定値以下であると判別すると（ステップＳ９０；Ｎｏ）、空調制御部１６０は、不在領域１２の領域ＩＤ「12」と対応付けられた空調機ＩＤ「62」を、図１５に示す領域テーブルから検索する。次に、空調制御部１６０は、検索した空調機ＩＤ「62」で識別される空調機６２の運転を、例えば、設定温度を屋外温度により近い温度としたり、風量を低下させるなど、より電力を消費しない運転（以下、省電力運転）に切り替える（ステップＳ９２）。
【０１４６】
その後、空調制御部１６０は、ステップＳ８８と同様の処理を実行することで、不在領域１２に設置された空調機６２を省電力運転された後に、不在領域１２に設置された照明機器２２及び空調機６２の総消費電力を特定する（ステップＳ９３）。
【０１４７】
次に、空調制御部１６０は、以下の式（８）を用いて、空調機６２を省電力運転させる前と後とで変化した消費電力の値（以下、空調省電力という）を算出する（ステップＳ９４）。
【０１４８】
空調省電力＝空調制御前の消費電力−空調制御後の消費電力・・・（８）
但し、
空調制御前の消費電力：ステップＳ８８で検索した消費電力データで表される消費電力
空調制御後の消費電力：ステップＳ９３で検索した消費電力データで表される消費電力
【０１４９】
次に、照明制御部１５０は、以下の式（９）を用いて、増光補正用電力を算出する（ステップＳ９５）。
【０１５０】
増光補正用電力＝（照明省電力＋空調省電力）×所定の割合・・・（９）
【０１５１】
ステップＳ９１若しくはステップＳ９５の処理を実行した後に、照明制御部１５０は、図４のステップＳ１１及びステップＳ１２と同様の処理を実行した後に（ステップＳ９６及びステップＳ９７）、省電力処理の実行を終了する。
【０１５２】
ステップＳ８３において、照明制御部１５０は、隣接領域１１及び隣接領域１３の双方で人が感知されなかったと判別すると（ステップＳ８３；Ｎｏ）、図４のステップＳ１３及びステップＳ１４と同様の処理を実行する（ステップＳ９８及びステップＳ９９）。その後、照明制御部１５０は、省電力処理の実行を終了する。
【０１５３】
これらの構成によれば、制御装置１００は、人が感知されなかった領域１２に設置された照明機器２２の光度を低下させる前後で電力センサ３２が計測した消費電力の差異（つまり、空調省電力）が所定値よりも小さいと、空調機６２の消費電力を低下させる。このため、制御システム１が制御する機器で消費される総消費電力をさらに削減できる。
【０１５４】
これらの構成によれば、制御装置１００は、照明機器２２の光度を低下させることで削減した消費電力（つまり、照明省電力）と、空調機６２を省電力運転させることで削減した消費電力（つまり、空将省電力）と、の和よりも小さい値に限り、照明機器２１及び２３の総消費電力を増加させる。このため、制御装置１００は、制御システム１が制御する機器の総消費電力を削減しながら、人が居る領域１１及び１３の照度の低下を軽減できる。
【０１５５】
実施形態３では、制御装置１００は、空調機６１から６３を制御するとして説明したが、制御装置１００が制御する機器は、空調機６１から６３に限定される訳ではない。制御装置１００は、例えば、ＩＨ（Induction Heating）クッキングヒーター、電気給湯器、テレビ、ラジオ、及び電気ポットなど、人が居ない場合に使用されることが少ない設備機器を制御しても良い。
【０１５６】
実施形態１から３において、照明機器２１は、領域１１の全てと、領域１１に隣接する領域１２の一部と、を照らすとして説明した。しかし、これに限定される訳ではなく、領域１１の全てと、領域１１に隣接する領域１２の全てと、を照らす、としても良い。また、照明機器２２は、領域１２の全てと、領域１２に隣接する領域１１の全て及び領域１３の全てと、を照らす、としても良い。さらに、照明機器２３は、領域１３の全てと、領域１３に隣接する領域１２の全てと、を照らす、としても良い。
【０１５７】
図６に示す調光目標値算出処理において、照明制御部１５０は、検索隣接領域の調光設定を用いて余裕照度及び調光目標値を算出したが、検索隣接領域の調光設定の代わりに照度を用いて余裕照度及び調光目標値を算出しても良い。
【０１５８】
図６のステップＳ２２で使用される業務遂行可能照度の下限値の好適な値は、当業者が実験により定めることができる。
【０１５９】
本発明に係る機能を実現するための構成を備えた制御装置として提供できることはもとより、複数の装置で構成されるシステムであって、本発明に係る機能を実現するための構成をシステム全体として備えたシステムとして提供することもできる。
【０１６０】
なお、本発明に係る機能を実現するための構成を予め備えた制御装置として提供できることはもとより、プログラムの適用により、既存の制御装置を本発明に係る制御装置として機能させることもできる。すなわち、上記実施形態で例示した制御装置１００による各機能構成を実現させるための制御プログラムを、既存の制御装置を制御するコンピュータ（ＣＰＵなど）が実行できるように適用することで、本発明に係る制御装置１００として機能させることができる。
【０１６１】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。また、本発明に係る制御方法は、本発明に係る制御装置１００を用いて実施できる。
【０１６２】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１６３】
１                    制御システム
１１，１２，１３      領域
２１，２２，２３      照明機器
３１，３２，３３      電力センサ
４１，４２，４３      照度計測部
５１，５２，５３      人感センサ
６１，６２，６３      空調機
１００                制御装置
１０１                ＣＰＵ
１０２                ＲＯＭ
１０３                ＲＡＭ
１０４                外部記憶装置
１０５                ＬＣＤコントローラ
１０６                ＬＣＤ
１０７                入力制御回路
１０８                操作ボタン
１０９                音声出力回路
１１０                スピーカ
１１１                ＬＡＮカード
１１２                バス
１２０                消費電力入力部
１３０                照度入力部
１４０                感知結果入力部
１５０                照明制御部
１６０                空調制御部
１９０                情報記憶部
【図１】
0005748148.tif 000002
【図２】
0005748148.tif 000003
【図３】
0005748148.tif 000004
【図４】
0005748148.tif 000005
【図５】
0005748148.tif 000006
【図６】
0005748148.tif 000007
【図７】
0005748148.tif 000008
【図８】
0005748148.tif 000009
【図９】
0005748148.tif 000010
【図１０】
0005748148.tif 000011
【図１１】
0005748148.tif 000012
【図１２】
0005748148.tif 000013
【図１３】
0005748148.tif 000014
【図１４】
0005748148.tif 000015
【図１５】
0005748148.tif 000016
【図１６】
0005748148.tif 000017
【図１７】
0005748148.tif 000018